(57)【要約】      （修正有）【課題】鋼管端部の変形防止効果が高く、しかも不使用時の保管や運搬時に嵩張らず、取扱いに便利な鋼管端部養生具を提供する。【解決手段】鋼管端部の内周面に沿わせる内面保護板部１２と、その鋼管端部の外周面に沿わせる外面保護板部１３と、両保護板部１２，１３の一辺間を折り畳み自在に連結した蝶番部１４とを有する内外面保護板材１０を設ける。また、内面保護板部１２及び外面保護板部１３は、鋼管先端の全周を複数分割した長さの矩形状をしたゴム状弾性板材をもって構成され、複数の内外面保護板材１０をそれぞれ、外面保護板部１３を鋼管先端の外周面にあてがうとともに内面保護板部１２を蝶番部１４から鋼管内面側に折り畳んだ状態で鋼管先端の内周面にあてがう。さらに、互いに隣り合う内面保護板部１２間及び外面保護板部１３間を、それぞれ連結具２０を介して連結する。【選択図】図１
0003169126.tif 000002
【実用新案登録請求の範囲】
【請求項１】
鋼管端部の内周面に沿わせる内面保護板部と、該鋼管端部の外周面に沿わせる外面保護板部と、該両保護板部の一辺間を折り畳み自在に連結した蝶番部とを有する内外面保護板材を備え、
前記内面保護板部及び外面保護板部は、鋼管先端の全周を複数分割した長さの矩形状をしたゴム状弾性板材をもって構成され、
複数の前記内外面保護板材をそれぞれ、前記外面保護板部を前記鋼管先端の外周面にあてがい、前記内面保護板部を前記蝶番部から前記鋼管内面側に折り畳んだ状態で鋼管先端の内周面にあてがい、互いに隣り合う内面保護板部間及び外面保護板部間を、それぞれ連結具を介して連結することにより、前記鋼管の先端を被覆するようにしてなる鋼管端部養生具。
【請求項２】
前記内外面保護板材によって被覆された鋼管先端の内面間に跨らせて装着され、該鋼管の先端の中心部にて交差する複数の桟状材からなる内面側補強材  を備えた請求項１に記載の鋼管端部養生具。
【請求項３】
前記内面保護板部と外面保護板部とは、方形状をした1枚のゴム状弾性板材をもって形成され、該ゴム状弾性板材の中央部分表面に形成された直線状凹溝をもって前記蝶番部を構成してなる請求項１又は２に記載の鋼管端部養生具。
【請求項４】
前記内面側補強材は、２本の桟状材の中央部分を分解可能に組み合わせ、該桟状材の先端には、前記内外面保護板材によって被覆された鋼管先端面に当接される延長部と、該延長部に対して段状配置に形成された内面当接部とを一体に備えて構成されている請求項２に記載の鋼管端部養生具。
【考案の詳細な説明】
【技術分野】
【０００１】
本考案は、溶接によって軸方向に継ぎ足す鋼管の端部の変形を防止する鋼管端部養生具に関する。
【背景技術】
【０００２】
一般に溶接によって軸方向に継ぎ足して所定の長さとする鋼管は、図６に示すように、互いに溶接される一方の鋼管１の端部に、外面側を先細りのテーパ状に形成したテーパ状溶接面３が形成され、その先端を他方の鋼管２の端面を直角に形成した溶接面４上に突き合わせ配置に接合させ、テーパ状溶接面３の外周側に出来る開先５内を溶接金属６で埋めつつ両鋼管１，２間を溶接するようにしている（例えば特許文献１）。
【０００３】
このような鋼管の端部は、クレーンによる吊り移動操作や輸送手段による輸送中および仮置き時に、他の部分との衝突による変形が生じやすく、一旦変形が生じると容易に真円度の修正が困難となり、溶接面にずれが生じて所望の溶接ができなくなるという問題がある。
【０００４】
このような鋼管端部の変形を防止するために、従来は、鋼管の内径程度の長さの木材や鋼材を端部内に嵌め込む養生方法がとられていた。
【０００５】
また、この他、鋼管先端の外径より大きい天板に係止部を切起しによって形成し、その係止部を鋼管内に圧入することによって天板を鋼管端部に装着するようにした鋼管用のカバーが開発されている（例えば特許文献1）。
【先行技術文献】
【特許文献】
【０００６】
【特許文献１】特開平６−２４６４８８号公報
【特許文献２】特開２００４−５２２４０号公報
【考案の概要】
【考案が解決しようとする課題】
【０００７】
しかしながら、上述の如き従来の木材や鋼材からなる変形防止具を使用した養生方法では、変形防止具によって鋼管の母材を傷つけることがあり、且つ鋼管端部の保護が充分でなく、移動の際の衝突によって容易に変形するという問題があった。
【０００８】
また、上述した特許文献２の如きキャップは、天板の外径が鋼管の外径と同じかそれ以上の大きさである必要があるため、鋼管径が大きくなるとキャプ外径も大きくならざるを得ず、キャップ自体の保管や運搬に不便であるという問題があった。
【０００９】
本考案はこのような問題に鑑み、鋼管端部の変形防止効果が高く、しかも嵩張らず、不使用時の保管や運搬時の取扱いに便利な鋼管端部養生具の提供を目的としてなされたものである。
【課題を解決するための手段】
【００１０】
上述の如き従来の問題を解決し、所期の目的を達成するための請求項1に記載の考案の特徴は、鋼管端部の内周面に沿わせる内面保護板部と、該鋼管端部の外周面に沿わせる外面保護板部と、該両保護板部の一辺間を折り畳み自在に連結した蝶番部とを有する内外面保護板材を備え、前記内面保護板部及び外面保護板部は、鋼管先端の全周を複数分割した長さの矩形状をしたゴム状弾性板材をもって構成され、複数の前記内外面保護板材をそれぞれ、前記外面保護板部を前記鋼管先端の外周面にあてがい、前記内面保護板部を前記蝶番部から前記鋼管内面側に折り畳んだ状態で鋼管先端の内周面にあてがい、互いに隣り合う内面保護板部間及び外面保護板部間を、それぞれ連結具を介して連結することにより、前記鋼管の先端を被覆するようにしてなる鋼管端部養生具にある。
【００１１】
請求項２に記載の発明の特徴は、請求項１の構成に加え、前記内外面保護板材によって被覆された鋼管先端の内面間に跨らせて装着され、該鋼管の先端の中心部にて交差する複数の桟状材からなる内面側補強材を備えたことにある。
【００１２】
請求項３に記載の発明の特徴は、請求項１又は２の構成に加え、前記内面保護板部と外面保護板部とは、方形状をした1枚のゴム状弾性板材をもって形成され、該ゴム状弾性板材の中央部分表面に形成された直線状凹溝をもって前記蝶番部を構成したことにある。
【００１３】
請求項４に記載の発明の特徴は、請求項２の構成に加え、前記内面側補強材は、２本の桟状材の中央部分を分解可能に組み合わせ、該桟状材の先端には、前記内外面保護板材によって被覆された鋼管先端面に当接される延長部と、該延長部に対して段状配置に形成された内面当接部とを一体に備えて構成されていることにある。
【考案の効果】
【００１４】
本考案に係る鋼管端部養生具においては、鋼管端部の内周面に沿わせる内面保護板部と、該鋼管端部の外周面に沿わせる外面保護板部と、該両保護板部の一辺間を折り畳み自在に連結した蝶番部とを有する複数の内外面保護板材を使用し、装着時には、折り畳んだ状態で、その間に鋼管先端の肉厚部を挟み込むようにしているため、簡単な操作で装着が可能であり、しかも鋼管先端の内外面が弾性材によって保護されることとなり、クレーンによる吊り扱い時や運搬時に、誤って衝突が生じても、衝撃を吸収する効果が高くなり、変形を効果的に防止することができる。
【００１５】
また、内外面保護板材は、鋼管先端の全周を複数分割した長さとしているため、不使用時には、使用時の状態の数分の一の大きさとなり、運搬、保管時の扱いに便利である。
【００１６】
また、本考案では、前記内外面保護板材によって被覆された鋼管先端の内面間に跨らせて装着され、該鋼管の先端の中心部にて交差する複数の桟状材からなる内面側補強材を備え、これを内外面保護部材と併用することにより内外面保護板材による衝撃吸収と、内面側補強材による衝撃に対する反発力の増強によって、変形をより効果的に防止できる。更に、本考案では、前記内面保護板部と外面保護板部とを、方形状をした1枚のゴム状弾性板材をもって形成し、該ゴム状弾性板材の中央部分表面に形成された直線状凹溝をもって前記蝶番部を構成したことにより、内外面保護部材の製造が容易であり、コストも大きくならず、しかも蝶番部を構成している板材によって鋼管の先端をも保護することとなり、先細りテーパ状の溶接用端部の保護により効果的である。
【００１７】
更に、本考案では、前記内面側補強材を、２本の桟状材の中央部分を分解可能に組み合わせ、該桟状材の先端に、前記内外面保護板材によって被覆された鋼管先端面に当接される延長部と、該延長部に対して段状配置に形成された内面当接部とを一体に備えて構成することにより、不使用時には１本ずつの桟状材として扱うことができ、保管、運搬に便利となる。
【図面の簡単な説明】
【００１８】
【図１】本考案に係る鋼管端部養生具を鋼管の先端に装着した状態の斜視図である。
【図２】同上の鋼管端部養生具の内外面保護材の展開状態を示す斜視図である。
【図３】同内面補強材を示す分解斜視図である。
【図４】図１に示す鋼管端部養生具に使用している連結具の連結状態を示す断面図である。
【図５】図１に示す鋼管端部養生具の内外面保護板材の装着状態を示すもので、（ａ）は外面保護板部を鋼管先端外周面に装着した状態の部分断面図、（ｂ）は内面保護板部を鋼管先端内面側に折り畳んだ状態の部分断面図である。
【図６】従来の鋼管の突き合せ溶接部を示す断面図である。
【考案を実施するための形態】
【００１９】
次に、本考案に係る鋼管端部養生具を図面に示した実施例に基づいて説明する。
【００２０】
この鋼管端部養生具は、鋼管先端の全周を複数分割した長さの内外面保護板材１０と内面側補強材１１とから構成されている。
【００２１】
内外面保護板材１０は、図１、図２に示すように、鋼管端部の内周面に沿わせる内面保護板部１２と、該鋼管端部の外周面に沿わせる外面保護板部１３と、両保護板部１２，１３の一辺間を折り畳み自在に連結した蝶番部１４とを有している。両保護板部１２，１３は、ゴム又は合成ゴムなどのゴム状弾性板材をもって矩形の板状に形成され、両保護板部１２，１３の矩形の１長辺部間に蝶番部１４が介在されている。
【００２２】
この実施例の内外面保護板材１０は、方形状をした１枚のゴム状弾性板材の中央部分表面に直線状凹溝１５を形成し、該直線状凹溝１５を蝶番部１４とし、その両側のゴム状弾性板材を内面保護板部１２、外面保護板部１３としている。
【００２３】
尚、図には示してないが内面保護板部１２と外面保護板部１３とを別々に形成し、機械的構造の蝶番をもって両保護板部１２，１３を連結することによって内外面保護板材１０を構成してもよい。
【００２４】
内面保護板部１２及び外面保護板部１３の両端部には、鋼管Ａに装着した際に互いに隣り合う内外面保護板材１０の内面保護板部１２間及び外面保護板部１３間を連結するための連結具２０Ａ，２０Ｂが備えられている。
【００２５】
この連結具２０Ａ，２０Ｂは、図２、図４に示すように、一方の内面保護板部１２及び外面保護板部１３にそれぞれ一端を固定した伸縮性のある連結ベルト２１と、該ベルト２１の先端に固定した鉤状金具２２及び隣り合う他方の内面保護板部１２及び外面保護板部１３に固定した掛止用金具２３とから構成されており、連結ベルト２１を引き延ばしてその先端の鉤状金具２２を掛止金具２３に引っ掛けることによって連結されるようになっている。
【００２６】
尚、連結具は、上述の他、ベルトと衣類や鞄などに使用されているベルトを止めるために使用されているバックルと同様の構造のもの等、各種のものを使用できる。
【００２７】
内面補強材１１は、図３に示すように木材又は鋼材からなる２本の桟状材３０をもって構成され、各桟状材は、両端に内外面保護板材１０によって被覆された鋼管Ａの先端面に当接される延長部３１と、この延長部３１に対して段状配置に形成された内面当接部３２とを一体に備えている。
【００２８】
両桟状材３０は中央部分に互い違いに組み合わされる切欠き部３３が形成され、この切欠き部３３を介して両桟状材３０が直交する配置に組合わされ、且つ分解できるようになっている。
【００２９】
このように構成される鋼管先端部養生具の使用に際しては、図５（ａ）に示すように、両保護板部１２，１３が平らな配置となるように広げた状態で、所要数の外面保護板部１３を鋼管Ａの先端外周に沿わせてあてがい、鋼管先端の外面全周を被覆し、連結具２０Ａによって隣り合う外面保護板部１３，１３間を連結する。
【００３０】
このようにして外面保護板部１３を鋼管Ａに装着した後、内面保護板部１２を鋼管Ａの内面側に蝶番部１４より折り畳むことにより、図５（ｂ）に示すように鋼管先端の内周面に沿わせて内面保護板部１２をあてがわせる。この状態で互いに隣り合う内面保護板部１２，１２間を連結具２０Ｂによって連結し、内面保護板部１２の折り畳み状態が維持されるようにする。
【００３１】
次いで、内面補強部材１１の両桟状材３０を互いに直交配置に、それらの中央部分の切欠き部３３にて組み合わせ、この状態で各桟状材３０の先端の内面当接部３２を内面保護部材１３によって内周面が被覆された鋼管Ａの先端部内に押し込み、延長部３１を同鋼管Ａの先端に当接させ、これによって両桟状材３０を鋼管Ａの先端内周面間にまたがらせて装着する。
【００３２】
尚、場合によっては、内面補強部材１１を使用せずに内外面保護部材１０のみを使用することとしてもよい。
【００３３】
このように構成される鋼管先端養生具においては、全体が平らに広げられる板状をした複数の内外面保護部材１０を使用して鋼管Ａの先端の内外面を被覆するようにしたことにより、個々の内外面保護部材１０の形状を小さくでき、不使用時の扱いに便利である。
【００３４】
また、装着時は内面保護板部１２と外面保護板部１３とを蝶番部１４より折り畳んだ状態とし、両保護板部間に鋼管Ａの先端の肉厚部を挟み込むようにしているため、鋼管先端の内外面がゴム状弾性板材によって保護されることとなり、クレーンによる吊り扱い時や運搬時に、誤って衝突が生じても、衝撃を吸収し、変形を効果的に防止することができる。
【００３５】
また、内面補強部材１１を併用することにより、内外面保護板材１０による衝撃吸収と、内面側補強材１１による衝撃に対する反発力の増強によって、変形をより効果的に防止できる。併用することにより、外周面からの衝撃を吸収する効果が高くなり、より高い変
【００３６】
更に、本実施例のように、方形状をした１枚のゴム状弾性板材の中央に直線状凹溝１５を形成し、該直線状凹溝１５を蝶番部１４とし、その両側のゴム状弾性板材を内面保護板部１２、外面保護板部１３とすることにより、製造が容易であるとともに、蝶番部１４を構成している板材によって鋼管Ａの先端をも保護することとなり、先細りテーパ状の溶接用端部の保護に効果的である。
【符号の説明】
【００３７】
Ａ  鋼管
１０  内外面保護板材
１１  内面側補強材
１２  内面保護板部
１３  外面保護板部
１４  蝶番部
１５  直線状凹溝
２０Ａ，２０Ｂ  連結具
２１  連結ベルト
２２  鉤状金具
２３  掛止用金具
３０  桟状材
３１  延長部
３２  内面当接部
３３  切欠き部
【図１】
0003169126.tif 000003
【図２】
0003169126.tif 000004
【図３】
0003169126.tif 000005
【図４】
0003169126.tif 000006
【図５】
0003169126.tif 000007
【図６】
0003169126.tif 000008